(57)【要約】      （修正有）【課題】足腰の不自由な被介護人が自力でベット，トイレ，食堂，車いす等に移動出来、軽量でコンパクトで省スペース的にまとめられ、電気を必要とせず各部の着脱や折り畳みが容易に出来、安全性の高い被介護人用自力多目的移乗車を提供する。【解決手段】Ｈ型のベース体２００にガイド柱体３００や摺動柱体４００や上下動機構部５００や座接用サイドフレーム６００や座接用クッション板７００が夫々装着されると共に、回動安定保持機構部により使用時における安定保持が確保されると共にワンタッチ動作にて収納時において折り畳みすることが出来る。【選択図】図１
0003198136.tif 000002
【実用新案登録請求の範囲】
【請求項１】
足腰の不自由な被介護人を自力でベットやトイレや食堂，浴室，車いす等に移動出来る軽量動作で軽量コンパクトで省スペース的にまとめられた被介護人用自力多目的移乗車であって、該移乗車は、キャスタを有する左右のベースフレームと、左右の該ベースフレームを補強すべくその略中間位置に介設され全体としてＨ型のベース体を形成するためのクロスフレームと、該クロスフレームと併設されるベース板の左右端に基端部を連結し前記ベースフレームに基端部側を枢支されて立ち上るガイド柱体と、該ガイド柱体に摺動自在に案内されて立ち上る摺動柱体と、左右の該摺動柱体の頂部に介設される頂部クロスフレームと、該頂部クロスフレームと前記ベース板との間に介設され前記摺動柱体を上下動させるための上下動機構部と、前記摺動柱体と移動可能に固定される突出ピンを有する上部支持材及び下部支持材と、該上部支持材及び下部支持材の前記突出ピンにその基端部を挿脱され前記基端部側から伸延する上部フレームと下部フレームとこの伸延端に両端を固定するクロス材とからなる座接用サイドフレームと、該座接用サイドフレームの前記下部フレームにその基端側を挿脱回動可能に連結され中央側に向かって下り傾斜して伸延して片持ち支持される座接用クッション板とからなり、前記クロスフレームと前記ベース板との間には前記ガイド柱体等をワンタッチで垂直位置から水平位置に回動すると共に前記ガイド柱体等を垂直位置に安定支持する機能を有する回動安定保持機構部とが設けられ前記被介護人を座接状態で移動させる事を特徴とする被介護人用自力多目的移乗車。
【請求項２】
前記回動安定を保持機構部は、下面に１つの突起部を有すると共に左右側に突出ピンを有する移動レバー体と、前記突起部の係着する第１の溝と第２の溝とを上面に形成する前記クロスフレームに固定され前記移動レバー体を摺動自在に保持するガイド板と、前記クロスフレームにその略中間部を枢支されその先端部を前記突出ピンに当接可能な位置に配置され前記枢支用の枢支ピンから前記ベースフレーム側に伸びる形状からなる細長回動レバー体と、垂直状態にある前記ガイド柱体の下部にスプリングの力により押圧されるローラを枢着すると共にその中間部を前記ベースフレームに枢支されるローラ保持プレートと、該ローラ保持プレートと前記細長回動レバー体の先端側との間に介設され前記細長回動レバー体による接触押圧力により前記ローラ保持プレートを回動して前記ローラの前記ガイド柱体等への押圧を解除するためのロッド部材とからなり、前記移動レバー体を持ち上げて移動させてその前記突出ピンを前記第１の溝から開放して前記第２の溝に係着させ前記細長回動レバー体を回動させて前記ロード部材を移動させて前記ローラ保持プレートを回動し、前記ローラによる前記ガイド柱体等への押圧を解除すべく作用する構造のものからなることを特徴とする請求項１に記載の被介護人用自力多目的移乗車。
【請求項３】
前記座接用クッション板は、前記座接用サイドフレームの前記下部フレームに装着される前方側のコーナー及び中央に向かって伸延する部分の後部側のコーナーに切り欠き部を形成するものからなることを特徴とする請求項１に記載の被介護人用自力多目的移乗車。
【請求項４】
前記左右の座接用クッション板はロック機構により着脱可能に連結されるものからなることを特徴とする請求項１に記載の被介護人用自力多目的移乗車。
【考案の詳細な説明】
【技術分野】
【０００１】  本考案は、軽量，コンパクト，省スペースにまとめられ足腰の不自由な被介護人が自力でベット，トイレ，食堂，浴室，車いす等で移動使用出来て、ワンタッチで折り畳みが可能で収納出来、他人の力や電気を必要とせず安全に使用出来る被介護人用自力多目的移乗車に関する。
【背景技術】
【０００２】  足腰の不自由な人は自宅においてはベットや座椅子に坐っている状態が多く、トイレ等に行く場合はかなり難儀している。また、介護人が居る場合にはその助けを借りてトイレ等に行く場合が多い。しかしながら、足腰の不自由な人でもトイレ等には何とか自力で行って用をたしたいと思う。これ等の被介護人が自力で移動し、例えばトイレ等に行くための補助具は極めて高価なものを除き現在見当らない。
出願人の調査では自力ではないが他人の助けを借りてトイレ等に行ける道具として「特許文献１」，「非特許文献１」や「非特許文献２」等がある。
【先行技術文献】
【特許文献】
【０００３】
【特許文献１】実願２０１５−５６５号
【非特許文献】
【０００４】
【非特許文献１】イデアライフケアに掲載の“乗助さんＩＩ”（添付の図１１参照）
【非特許文献２】女性セブンに掲載の“お助け口”（添付の図１２参照）
【考案の概要】
【考案が解決しようとする課題】
【０００５】  「特許文献１」の「実願２０１５−５６５号」は同一出願人による“介護用座接移動型補助具”に関するもので被介護人を坐った状態でトイレ等の目的の場所に移動出来るものであり介護人を必要とはするがかなり自力で移動出来るものである。しかし、コンパクトで省スペース化や折り畳み性については不十分なものであり取り扱い性においてやや問題点があるものである。
また、「非特許文献１」の“乗助さんＩＩ”や「非特許文献２」の“お助け口”は他人の力を必要とするか又は電力を必要とするものであり、高価であると共に軽量化においては問題点があり、自力で簡単に目的地に移動出来用を果すことが出来るものではない。【０００６】  本考案は、以上の問題点を解決すべく考案されたものであり被介護人が希望する目的場所、例えばベット，トイレ，食堂，浴室，車いす等への自力による移動が出来、軽量でコンパクトで省スペースのため狭小部への出入も出来、各部の取り外しが出来て折り畳みが可能であり、取り扱い性もよく高さの調整も可能であり電力を必要としない被介護人用自力多目的移乗車を提供する事を目的とする。
【課題を解決するための手段】
【０００７】  本考案は、以上の目的を達成するために、請求項１の考案は、足腰の不自由な被介護人を自力でベットやトイレや食堂，浴室，車いす等に移動出来る軽量動作で軽量コンパクトで省スペース的にまとめられた被介護人用自力多目的移乗車であって、該移乗車は、キャスタを有する左右のベースフレームと、左右の該ベースフレームを補強すべくその略中間位置に介設され全体としてＨ型のベース体を形成するためのクロスフレームと、該クロスフレームと併設されるベース板の左右端に基端部を連結し前記ベースフレームに基端部側を枢支されて立ち上るガイド柱体と、該ガイド柱体に摺動自在に案内されて立ち上る摺動柱体と、左右の該摺動柱体の頂部に介設される頂部クロスフレームと、該頂部クロスフレームと前記ベース板との間に介設され前記摺動柱体を上下動させるための上下動機構部と、前記摺動柱体と移動可能に固定される突出ピンを有する上部支持材及び下部支持材と、該上部支持材及び下部支持材の前記突出ピンにその基端部を挿脱され前記基端部側から伸延する上部フレームと下部フレームとこの伸延端に両端を固定するクロス材とからなる座接用サイドフレームと、該座接用サイドフレームの前記下部フレームにその基端側を挿脱回動可能に連結され中央側に向かって下り傾斜して伸延して片持ち支持される座接用クッション板とからなり、前記クロスフレームと前記ベース板との間には前記ガイド柱体等をワンタッチで垂直位置から水平位置に回動すると共に前記ガイド柱体等を垂直位置に安定支持する機能を有する回動安定保持機構部とが設けられ前記被介護人を座接状態で移動させる事を特徴とする。【０００８】  また、請求項２の考案は、前記回動安定を保持機構部が、下面に１つの突起部を有すると共に左右側に突出ピンを有する移動レバー体と、前記突起部の係着する第１の溝と第２の溝とを上面に形成する前記クロスフレームに固定され前記移動レバー体を摺動自在に保持するガイド板と、前記クロスフレームにその略中間部を枢支されその先端部を前記突出ピンに当接可能な位置に配置され前記枢支用の枢支ピンから前記ベースフレーム側に伸びる形状からなる細長回動レバー体と、垂直状態にある前記ガイド柱体の下部にスプリングの力により押圧されるローラを枢着すると共にその中間部を前記ベースフレームに枢支されるローラ保持プレートと、該ローラ保持プレートと前記細長回動レバー体の先端側との間に介設され前記細長回動レバー体による接触押圧力により前記ローラ保持プレートを回動して前記ローラの前記ガイド柱体等への押圧を解除するためのロッド部材とからなり、前記移動レバー体を持ち上げて移動させてその前記突出ピンを前記第１の溝から開放して前記第２の溝に係着させ前記細長回動レバー体を回動させて前記ロッド部材を移動させて前記ローラ保持プレートを回動し、前記ローラによる前記ガイド柱体等への押圧を解除すべく作用する構造のものからなることを特徴とする。【０００９】  また、請求項３の考案は、前記座接用クッション板が、前記座接用サイドフレームの前記下部フレームに装着される前方側のコーナー及び中央に向かって伸延する部分の後部側のコーナーに切り欠き部を形成するものからなることを特徴とする。【００１０】  また、請求項４の考案は、前記左右の座接用クッション板はロック機構により着脱可能に連結されるものからなることを特徴とする。
【考案の効果】
【００１１】  本考案の請求項１の被介護人用自力多目的移乗車によれば、前記ベース体がＨ型のため被介護人は前後どちらか任意の形で座接用クッション板に坐ることが出来、足裏で床面を軽く蹴ることで自力で目的地に移動出来る。また、摺動柱体は上下動機構部により任意の高さ（例えば３８０ｍｍ〜４６０ｍｍ）に無段階調整が出来、座接用サイドフレームは左右に簡単に回動出来、かつ取り外しも容易に出来ると共に、回動安定保持機構部のワンタッチ動作によって全体を垂直状態から水平状態に回動することが出来、収納ケース等に全体を収納して持ち運びすることが出来る。また、座接用クッション体が中央に向いて下り傾斜しているため被介護人の尻部の出入が容易に出来る。【００１２】  また、請求項２の被介護人用自力多目的移乗車によれば、回動安定保持機構部の詳細構造を説明するものであり、移動レバー体のワンタッチ動作によって各部が動作し、折り畳みが簡単に出来ると共に使用状態ではローラによる押圧力や移動レバー体の突出ピンの第２の溝への係着等により安全性を確保する事が出来る。【００１３】  また、請求項３の被介護人用自力多目的移乗車によれば、座接用クッション体はそのコーナーの一部が切り欠かれているためその回動角度が小さくても被介護人の尻部は座接用クッション体から開放されると共に座接用サイドフレームの小型化が可能となる。【００１４】  また、請求項４の被介護人用自力多目的移乗車によれば、左右の座接用クッション板はロック機構により使用状態において安定的に連結され、被介護人の尻部の安定保持が出来る。
【図面の簡単な説明】
【００１５】
【図１】被介護人用自力多目的移乗車の全体構造を示す写真。
【図２】図１の横視構造を示す写真。
【図３】被介護人用自力多目的移乗車における座接用サイドフレームの基端部の支持構造を示す写真。
【図４】被介護人用自力多目的移乗車における主としてその回動安定保持機構部の全体構造を示す背面図及びその一部の部材の構造を示す断面図（ａ）及びその一部の部材の平面図（ｂ）とそのＡ矢視の底面図（ｃ）。
【図５】回動安定保持機構部の移動レバー体とこれに当接する細長回動レバー体の一部の概要構造を示す部分斜視図。
【図６】回動安定保持機構部におけるロッド部材，スプリング及びこれ等が連結されるローラ保持プレート及びその回動動作を示す部分側面図（ａ）及び（ａ）の背面図（ｂ）。
【図７】主として座接用クッション板の構造を説明するための上面図（ａ）と側面図（ｂ）と背面図（ｃ）。
【図８】座接用クッション板の構造を示す平面図（ａ）とこのロック機構を示す平面図（ｂ）。
【図９】座接用クッション板の詳細構造を示す展開図（ａ）とその支持構造を説明するための部分的斜視図（ｂ）。
【図１０】頂部クロスフレームに取り付けられた把持体を示す写真。
【図１１】非特許文献１を示すカタログ図。
【図１２】非特許文献２を示すカタログ図。
【考案を実施するための形態】
【００１６】  以下、本考案の被介護人用自力多目的移乗車１００の実施の形態を図面を参照して詳述する。
【００１７】  被介護人用自力多目的移乗車１００は図１，図２，図３に示すように主として次のものからなる。即ち、ベース体２００とガイド柱体３００と摺動柱体４００と上下動機構部５００と座接用サイドフレーム６００と座接用クッション板７００と回動安定保持機構部８００等とからなる。以下これ等の詳細構造を説明する。
【００１８】  ベース体２００は図１及び図２に示すように端部にキャスタを有する細長な左右のベースフレーム１，１とこの左右のベースフレーム１，１間に介設されるクロスフレーム２からなり全体としてＨ型の構造からなる。
【００１９】  ガイド柱体３００はベースフレーム１，１間に介設されクロスフレーム２の近傍に併設されるベース板３の左右端に立設して配置されベースフレーム１，１にピン４（図６）により枢支されるものからなる。
【００２０】  摺動柱体４００はガイド柱体３００に摺動自在に案内されて保持される柱体からなり本実施例では断面が４面体からなり、縦方向に２本の溝５を凹設するものからなる。この保持構造については説明を省略するがガイド柱体３００に安定保持される構造からなる。
また、左右の摺動柱体４００，４００間の頂部には頂部クロスフレーム６が介設され、この頂部クロスフレーム６とベース板３との間には上下動機構部５００が介設され摺動柱体４００を上下動させる。この高さ調整は無段階でその範囲は８０ｍｍ程度である。なお、上下動機構部５００の詳細構造は省略するがハンドル７を回動することにより上下動が容易に出来る構造からなる。
【００２１】  座接用サイドフレーム６００は上部フレーム８と下部フレーム９とその間に介設されるクロス材１０とから枠体状のものからなる。この座接用サイドフレーム６００はその基端側を図３に特に明示されているように上部支持材１１と下部支持材１２とこれらに基端側を固定されて立設するピン１３に回動可能に、かつ取り外し可能に支持されるものからなる。なお、上部支持材１１と下部支持材１２は摺動柱体４００の溝５に摺動可能の構造で固定されるものからなる。この座接用サイドフレーム６００の取り外しは図３に示す手廻しハンドル１４を押し込むことにより容易に行われる。
【００２２】  座接用クッション板７００その基端側を座接用サイドフレーム６００の下部フレーム９に取り外し可能に片持ち支持されて中央側に向かって伸延するクッション体８ａからなり、図示（図７の（ｃ）に示されている）のように中央に向かって下り傾斜して配設される。この詳細構造は後に説明する。
【００２３】  回動安定保持機構部８００は図４乃至図６等に示すもので被介護人用自力多目的移乗車１００の主要構造体である。
この回動安定保持機構部８００はガイド柱体３００や摺動柱体４００や上下動機構部５００や座接用サイドフレーム６００や座接用クッション板７００等を使用状態における立設（垂直）状態に安定保持して被介護人が座接して目的場所に行けるようにするためのものであると共に収納時にはこれ等を収納状態にするため垂直状態から水平状態にするためのものである。勿論、水平状態に折り畳む場合には座接用サイドフレーム６００や座接用クッション板７００は予め取り外しておく事は言うまでもない。
【００２４】  この構造としてはまず、クロスフレーム２に固定されガイド板１５と、これに摺動自在に保持されている移動レバー体１６と、細長回動レバー体１７と、ベースフレーム１に回動可能に枢支されガイド柱体４００の下側面に使用時には押圧されるローラ保持プレート１８と、細長回動レバー体１７の動きによってローラ保持プレート１８を回動させてガイド柱体４００への圧接を開放するためのロッド部材２５とローラ保持プレート１８に押圧力を与えるスプリング２０等とからなる。
【００２５】  ガイド板１５は図４や図４の（ａ）に示すように移動レバー体１６を摺動可能に支持するものからなり移動レバー体１６の下方の突起部２１はクロスフレーム２の第１の溝２２と第２の溝２３に係着する。移動レバー体１６を持ち上げて第１の溝２２から移動レバー体１６の突起部２１を開放しこれを移動させて第２の溝２３に移動レバー体１６の突起部２１を係着保持する構造からなる。
また、移動レバー体１６には図５に示すように左右に突出する突出ピン２４，２４が設けられておりガイド板１５に設けられている図略の長溝に沿って摺動可能の構造のものからなる。
【００２６】  細長回動レバー体１７はクロスフレーム２に回動可能に枢支される細長のレバー状のものからなり、その先端部は突出ピン２４の近傍に配置され他端は枢支位置からベースフレーム１の近傍まで伸びている形状のものからなる。従って、移動レバー体１６を持ち上げて移動することにより細長回動レバー体１７は回動する。
【００２７】  この細長回動レバー体１７の回動により図６に示すようにロッド部材２５（図６に示す）が押圧されそのピン部２５ａによりローラ保持プレート１８を回動しローラ１９のガイド柱体４００への圧接を開放する。これによりスプリング２０は伸延されバネ力を保持することになる。また、これによりガイド柱体３００のローラ１９の押圧が解除され、ガイド柱体３００等が垂直方向から水平方向に回動可能となる。
【００２８】  以上のように回動安定保持機構部８００はワンタッチの動作によってガイド柱体３００や摺動柱体４００や上下動機構部５００等を垂直状態から水平状態に簡単に回動出来、別に取り外された座接用サイドフレーム６００や座接用クッション板７００と共に小型の収納箱内に収納する事が出来る。
一方、前記のようにガイド柱体３００等は垂直時の使用時にはローラ保持プレート１８の押圧力により垂直位置に安定的に保持されることになる。
【００２９】  図７は被介護人用自力多目的移乗車１００の全体構造を示すものではあるが、この図は座接用サイドフレーム６００と座接用クッション板７００を特に示すためのものである。座接用サイドフレーム６００や座接用クッション板９００は図示のように使用位置から回動して被介護人の例えばトイレ等における座位（用便）を出来るように構成されている
（ａ）また（ｃ）に示すように座接用クッション板７００は中央側に向かってやや下り傾斜して配置されている。
【００３０】  図８（ａ）は座接用クッション板７００の形状を示すものである。図示のように座接用クッション板７００はその基端側を座接用サイドフレーム６００の下部フレーム９に着脱可能（この構造説明はここではされていない）に連結するものからなり、下部フレーム９側の先方側のコーナーには切り欠き部２６が形成されその分だけ下部フレーム９の長さを短縮することが出来る。また、この切り欠き部２６と対向する位置にある後方の中央側のコーナーにも切り欠き部２７が形成されている。この切り欠き部２７により図７（ａ）に示すように座接用クッション板７００は大きく回動しなくても被介護人の尻部を座接用クッション板７００との当接から開放される。即ち、座接用クッション板７００を大きく外側に向かって回動しなくてもトイレにおける用便が可能となり狭隘のトイレにおいても十分に使用することが出来る。
【００３１】  また、図８（ａ），（ｂ）に示すように座接用クッション板７００の中央寄りの部分には左右の座接用クッション板７００，７００を連結固定するロック機構２８が設けられている。これにより被介護人の座接状態において座接用クッション板７００が互いに離れることはなく安全性が確保される。
【００３２】  図９は座接用クッション板７００が袋体のものからなることを示すものであり、皮製のものからなることを示すものであり、皮製のものからなるその形状・材質等は特に限定するものではない。また、座接用クッション板７００を下り傾斜に配設する構造として図９（ｂ）の如き傾斜付丸棒２９が使用されているが勿論これに限定するものではない。
【００３３】  図１０は把持手段３０を示すものであるこの把持手段３０は安全用のもので頂部クロスフレーム６に着脱可能に装着されている。勿論この形状に限定するものではない。
【００３４】  本考案の被介護人用自力多目的移乗車１００は図１等に示した構造のものからなり、被介護人はこの被介護人用自力多目的移乗車１００の座接用クッション板７００上に容易に座位することが出来、ベース体２００がＨ型をしているため足の向きを前後いずれの方向にも置く事が出来る。更に、頂部クロスフレーム６や図１における図略の把持手段３０等や座接用サイドフレーム６００の上部フレーム８を把持（上部フレーム８にはクッション体８ａが図示されている）することにより床に沿ってずり足で自力で任意の所に移動して目的を達することが容易に出来る。また、使用時には回転安全保持機構部８００の作用によって立設状態を安定保持することが出来る。また、前記したように収納時にはワンタッチ動作にて折り畳みが容易に出来、関連する各部材も簡単に取り外しすることが出来る。これにより、ケース状の収納箱に入れて持ち運びすることも可能である。
【００３５】  以上により、本考案の被介護人用自力多目的移乗車１００の説明は終了するがその内容は以上の説明に限定するものではなく、同一技術的範疇のものが適用されることは勿論である。
【産業上の利用可能性】
【００３６】  本考案の被介護人用自力多目的移乗車１００は足腰の弱って来た全ての人々に対して適用され、介護人を必要とする人達に対しても勿論適用される。その利用範囲は極めて広い。
【符号の説明】
【００３７】１      ベースフレーム
２      クロスフレーム
３      ベース板
４      ピン
５      溝
６      頂部クロスフレーム
７      ハンドル
８      上部フレーム
８ａ    クッション体
９      下部フレーム
１０    クロス材
１１    上部支持材
１２    下部支持材
１３    ピン
１４    手廻しハンドル
１５    ガイド板
１６    移動レバー体
１７    細長回動レバー体
１８    ローラ保持プレート
１９    ローラ
２０    スプリング
２１    突起部
２２    第１の溝
２３    第２の溝
２４    突出ピン
２５    ロッド部材
２５ａ  ピン部
２６    切り欠き部
２７    切り欠き部
２８    ロック機構
２９    傾斜付丸棒
３０    把持手段
１００  被介護人用自力多目的移乗車
２００  ベース体
３００  ガイド柱体
４００  摺動柱体
５００  上下動機構部
６００  座接用サイドフレーム
７００  座接用クッション板
８００  回動安定保持機構部
【図１】
0003198136.tif 000003
【図２】
0003198136.tif 000004
【図３】
0003198136.tif 000005
【図４】
0003198136.tif 000006
【図５】
0003198136.tif 000007
【図６】
0003198136.tif 000008
【図７】
0003198136.tif 000009
【図８】
0003198136.tif 000010
【図９】
0003198136.tif 000011
【図１０】
0003198136.tif 000012
【図１１】
0003198136.tif 000013
【図１２】
0003198136.tif 000014